(57)【要約】【課題】  無先端末が非ＩＰ端末でも適用でき、且つ無線端末に対する効率的な移動管理ができるとともに、中核的な役割を果たすノードの負荷の軽減を図る。【解決手段】  非ＩＰ端末である無線端末と、該無線端末と無線通信が可能な無線送受信装置を有するゲートウェイノードと、無線端末の位置情報を保持する位置情報記憶装置とを有する移動体ネットワークと、端末が接続される他のネットワークとがゲートウェイを介して接続されてなるネットワークシステムであって、  前記ゲートウェイノードまたは前記位置情報記憶装置は、無線端末を、無線端末ＩＤを用いたあらかじめ定められた分類規則により、位置登録起動端末と位置登録非起動端末に分類したデータを記憶しており、無線端末のうち位置登録起動端末のみを位置登録させるようにして、通信を行う.。【選択図】    図１
2006166357.tif 000002
【特許請求の範囲】
【請求項１】
無線端末と、該無線端末と無線通信が可能な無線送受信装置を有するゲートウェイノードと、無線端末の位置情報を保持する位置情報記憶装置とを有する移動体ネットワークと、端末が接続される他のネットワークとがゲートウェイを介して接続されてなるネットワークシステムであって、
前記ゲートウェイノードまたは前記位置情報記憶装置は、無線端末を、無線端末ＩＤを用いたあらかじめ定められた分類規則により、位置登録起動端末と位置登録非起動端末に分類したデータを記憶しており、かつ前記ゲートウェイは、無線端末の位置情報と無線端末が在圏するエリアを管轄するゲートウェイノードを特定するゲートウェイノードアドレスとの対応関係を示すアドレステーブルを記憶しており、
在圈エリア変更時には位置登録起動端末の位置情報を前記位置情報記憶装置に送信し、
前記端末より無線端末にメッセージが送信された際に、
前記ゲートウェイは、前記メッセージに含まれる無線端末ＩＤから特定の無線端末であることを認識し、前記位置情報記憶装置にアクセスし、前記無線端末ＩＤに基づいて無線端末の位置情報を取得し、前記アドレステーブルを参照し、該位置情報に対応するゲートウェイノードのゲートウェイノードアドレスを取得し、前記無線端末宛のメッセージを該ゲートウェイノードアドレスのゲートウェイノードに送出し、
前記メッセージを受信したゲートウェイノードは、上記メッセージを宛先無線端末に送出するとともに、
前記位置情報記憶装置は、前記ゲートウェイからアクセスを受けた際に、無線端末が位置登録起動端末であれば、当該無線端末の無線端末ＩＤに基づき、無線端末が位置登録非起動端末であれば、対応する位置登録起動端末の無線端末ＩＤに変換して当該無線端末の位置情報を検索し、出力することを特徴とするネットワークシステム。
【請求項２】
ゲートウェイノードと、端末と、無線端末の位置情報を保持する位置情報記憶装置を含むＩＰネットワークであって、
前記位置情報記憶装置は、位置登録起動端末ごとにHome Agent（ＨＡ）を具備し、かつ
前記ネットワークは、無線端末ＩＤと対応するＨＡを特定するＨＡアドレスとの対応関係示すテーブルを記憶する記憶手段を有し、
前記ゲートウェイノードは非ＩＰ端末である無線端末と無線通信が可能であり、
かつ前記ゲートウェイノードまたは前記位置情報記憶装置は、無線端末を、無線端末ＩＤを用いたあらかじめ定められた分類規則により、位置登録起動端末と位置登録非起動端末に分類したデータを記憶しており、
前記位置登録起動端末または、前記ゲートウェイノードは、該位置登録起動端末が在圈エリア変更時に、前記ゲートウェイノード内のForeign Agent（ＦＡ）を特定するＦＡアドレスを前記位置登録起動端末に対応して設けられたＨＡに通知する機能を有し、かつＨＡはＦＡアドレスを保持する機能を有しており、
前記端末は前記記憶手段に記憶されたテーブルを参照して通信相手である無線端末の無線端末ＩＤから対応するＨＡアドレスを取得し、該取得したＨＡアドレスを着アドレスとする無線端末宛のメッセージを入れたＩＰパケットを該ＨＡに送信すると、
該ＨＡは受信したＩＰパケットを前記保持しているＦＡアドレスのＦＡ宛に前記メッセージを含むＩＰパケットを転送し、
該転送されたＦＡは、前記ＩＰパケットに含まれるメッセージを前記無線端末に送出することを特徴とするネットワーク。
【請求項３】
前記ゲートウェイノードは位置登録非起動端末からの位置登録信号を受けた際に、該位置登録信号を無線端末ＩＤに基づき廃棄することを特徴とする請求項１に記載のネットワークシステム。
【請求項４】
前記ゲートウェイノードは位置登録非起動端末からの位置登録信号を受けた際に、該位置登録信号を無線端末ＩＤに基づき廃棄することを特徴とする請求項２に記載のネットワーク。
【発明の詳細な説明】
【技術分野】
【０００１】
本発明は、移動体通信の高度化に係り、集団で移動する複数の無線端末との通信の効率化を図ったネットワーク及びネットワークシステムに関する。
【背景技術】
【０００２】
従来、移動体通信の主な対象は、人と人であり、これは、携帯電話などにより実現されてきた。今後想定される、あるいは、増加が予想される移動体の対象のなかには、人が携帯したりすることにより移動することになる物があると考えられる。例えば、その人の健康状態をモニターするwearable sensorなどである。 
こうした人や車などに付帯して動く物が通信機能を有する場合、２つの移動管理方式が考えられている。
【０００３】
第１の方式は、個々の付帯物の機能が向上し、それぞれが独立した端末として動作する方式である。これは、携帯電話などの端末が付帯物の数だけ増加する方式である。
第２の方式は、中核となる移動体（携帯電話など）があり、それが中核ノードとして動作する。バックボーンネットワークからは、中核ノードだけが移動しているように見える。実際には、その中核ノードの先にローカルなネットワークが構成され、付帯物がそのローカルなネットワークの端末として動作する方式である。
【０００４】
プロトコル的には、中核ノードにてレイヤ３・ネットワーク層が終端される。携帯電話機が中核ノードで、携帯電話ヘッドホンが付帯物としてBluetoothなどの無線方式で携帯電話機と接続されている場合が典型である。中核ノードの電源がオフである場合は、付帯物とバックボーンネットワークとの通信はできない。
また、付帯物とバックボーンネットワークとの通信には、必ず、中核ノードが介在するため、中核ノードの負荷が高い場合、付帯物との通信時にも輻輳状態となりやすい。
【０００５】
第１の方式における（付帯物も含めた）個々の端末や第２の方式における中核ノードの移動管理は、携帯電話・ＰＨＳ（登録商標）などで使用される移動管理方式か、あるいは、mobile ＩＰなどと呼ばれるＩＰ技術を用いた方式(バックボーンネットワークがＩＰネットワークの場合)である（非特許文献１参照）。
第２の方式（中核ノードがある方式）で、バックボーンネットワークがＩＰネットワークの場合、mobile ＩＰを拡張したNetwork Mobility （ＮＥＭＯ）方式としてＩＥＴＦにより検討されている（非特許文献２参照）。
【０００６】
同方式では、中核ノードはMobile Router（ＭＲ）と呼ばれ、ＭＲの移動を管理することで、ＭＲの配下にある端末(ＩＰ端末)の移動を一括管理する。具体的には、ＭＲ配下の端末は、あるprefixをもつＩＰアドレスをもつ。
そして、当該prefixをもつ端末群からなるネットワーク全体が移動すると考える。当該移動の検出はMRが移動したことをMobile ＩＰ の方法で検出することで行う。移動した場合、Mobile ＩＰ では、移動した端末にＩＰアドレスが新たに与えられるが、ＮＥＭＯではＭＲに新しいＩＰアドレスが与えられる。そして、ＭＲ配下の端末によるＩＰパケットの送受はＭＲ経由で行う。
【非特許文献１】モバイルＩＰ技術  第１回:モバイルＩＰ技術の基本概念／モバイルＩＰの仕組みと標準化（http://www2.ric.co.jp/plus/wireless/mi001_01_0402.html）
【非特許文献１】モバイルＩＰ技術  第３回:モバイルＩＰｖ６拡張技術（２）／ネットワークモビリティと高速ハンドオーバー（http://www2.ric.co.jp/plus/wireless/mi001_03_0404.html）
【発明の開示】
【発明が解決しようとする課題】
【０００７】
しかしながら、非特許文献１に記載のネットワークでは、端末の数だけ移動管理をする必要があり、移動管理が非効率的であるという問題がある。
また、非特許文献１、２に示すネットワークにおいては、無線端末はＩＰ端末であることを前提としており、したがって、無線端末が非ＩＰ端末である場合には適用できず、
さらに、非特許文献２に記載のネットワークにおいては、中核的な役割を果たすＭＲノードの負荷が過大となるという問題が有った。
【０００８】
本発明は、このような事情に鑑みてなされたものであり、無先端末が非ＩＰ端末でも適用でき、且つ無線端末に対する効率的な移動管理ができるとともに、中核的な役割を果たすノードの負荷が軽減できるネットワーク及びネットワークシステムを提供することを目的とする。
【課題を解決するための手段】
【０００９】
上記目的を達成するために請求項１に記載の発明は、無線端末と、該無線端末と無線通信が可能な無線送受信装置を有するゲートウェイノードと、無線端末の位置情報を保持する位置情報記憶装置とを有する移動体ネットワークと、端末が接続される他のネットワークとがゲートウェイを介して接続されてなるネットワークシステムであって、前記ゲートウェイノードまたは前記位置情報記憶装置は、無線端末を、無線端末ＩＤを用いたあらかじめ定められた分類規則により、位置登録起動端末と位置登録非起動端末に分類したデータを記憶しており、かつ前記ゲートウェイは、無線端末の位置情報と無線端末が在圏するエリアを管轄するゲートウェイノードを特定するゲートウェイノードアドレスとの対応関係を示すアドレステーブルを記憶しており、在圈エリア変更時には位置登録起動端末の位置情報を前記位置情報記憶装置に送信し、前記端末より無線端末にメッセージが送信された際に、前記ゲートウェイは、前記メッセージに含まれる無線端末ＩＤから特定の無線端末であることを認識し、前記位置情報記憶装置にアクセスし、前記無線端末ＩＤに基づいて無線端末の位置情報を取得し、前記アドレステーブルを参照し、該位置情報に対応するゲートウェイノードのゲートウェイノードアドレスを取得し、前記無線端末宛のメッセージを該ゲートウェイノードアドレスのゲートウェイノードに送出し、前記メッセージを受信したゲートウェイノードは、上記メッセージを宛先無線端末に送出するとともに、前記位置情報記憶装置は、前記ゲートウェイからアクセスを受けた際に、無線端末が位置登録起動端末であれば、当該無線端末の無線端末ＩＤに基づき、無線端末が位置登録非起動端末であれば、対応する位置登録起動端末の無線端末ＩＤに変換して当該無線端末の位置情報を検索し、出力することを特徴とする。
【００１０】
また、請求項２に記載の発明は、ゲートウェイノードと、端末と、無線端末の位置情報を保持する位置情報記憶装置を含むＩＰネットワークであって、前記位置情報記憶装置は、位置登録起動端末ごとにHome Agent（ＨＡ）を具備し、かつ前記ネットワークは、無線端末ＩＤと対応するＨＡを特定するＨＡアドレスとの対応関係示すテーブルを記憶する記憶手段を有し、前記ゲートウェイノードは非ＩＰ端末である無線端末と無線通信が可能であり、かつ前記ゲートウェイノードまたは前記位置情報記憶装置は、無線端末を、無線端末ＩＤを用いたあらかじめ定められた分類規則により、位置登録起動端末と位置登録非起動端末に分類したデータを記憶しており、前記位置登録起動端末または、前記ゲートウェイノードは、該位置登録起動端末が在圈エリア変更時に、前記ゲートウェイノード内のForeign Agent（ＦＡ）を特定するＦＡアドレスを前記位置登録起動端末に対応して設けられたＨＡに通知する機能を有し、かつＨＡはＦＡアドレスを保持する機能を有しており、前記端末は前記記憶手段に記憶されたテーブルを参照して通信相手である無線端末の無線端末ＩＤから対応するＨＡアドレスを取得し、該取得したＨＡアドレスを着アドレスとする無線端末宛のメッセージを入れたＩＰパケットを該ＨＡに送信すると、該ＨＡは受信したＩＰパケットを前記保持しているＦＡアドレスのＦＡ宛に前記メッセージを含むＩＰパケットを転送し、該転送されたＦＡは、前記ＩＰパケットに含まれるメッセージを前記無線端末に送出することを特徴とする。
【００１１】
また、請求項３に記載の発明は、請求項１に記載のネットワークシステムにおいて、前記ゲートウェイノードは位置登録非起動端末からの位置登録信号を受けた際に、該位置登録信号を無線端末ＩＤに基づき廃棄することを特徴とする。
【００１２】
また、請求項４に記載の発明は、請求項２に記載のネットワークにおいて、前記ゲートウェイノードは位置登録非起動端末からの位置登録信号を受けた際に、該位置登録信号を無線端末ＩＤに基づき廃棄することを特徴とする。
【発明の効果】
【００１３】
以上説明したように、本発明によれば、非ＩＰ系の無線端末にも適用でき、複数の無線端末からなる無線端末群が移動する場合に、無線端末のうち位置登録起動端末のみを位置登録対象とするようにしたので、無線端末の効率的な移動管理を行うことができる。
さらに、無線端末において、位置登録起動端末も非起動端末も通信時には、通常の端末と同様、独立に動作できるため、位置登録起動端末への負荷が過大とならないで済む。
【発明を実施するための最良の形態】
【００１４】
以下、本発明の実施形態を、図面を参照して詳細に説明する。
【００１５】
［第１実施形態］
図１に本発明の実施形態に係るネットワークシステムの構成を示す。本実施形態に係るネットワークシステムは、移動体通信ネットワークとインターネットとが接続されるように構成されている。同図において、無線端末１０１、１０２は、例えば、一人の人に付けられた二つのセンサのように一緒に移動する無線端末であって、ゲートウェイノード（以下、ＧＷノードと記す。）１０３〜１０６との間で無線通信が可能である。ＧＷノード１０３〜１０６および位置登録データベース１０９は、中継ノード１０７、１０８を介して相互に接続しており、通信が可能である。無線端末１０１、１０２、ＧＷノード１０３〜１０６、中継ノード１０７、１０８及び位置登録データベース１０９は移動体通信ネットワークを構成している。
【００１６】
また、移動体通信ネットワークは、インターネッゲートウェイ（以下、インターネットＧＷと記す。）１１３を介してインターネット１１０とも接続しており、インターネットに接続するパーソナルコンピュータ（ＰＣ）１１１、１１２との通信も可能である。
本実施形態では、ＧＷノード１０３〜１０６、中継ノード１０６、１０７、インターネットＧＷ１１３は、すべてＩＰアドレスをもち、インターネット１１０を介してＰＣ１１１，１１２とＩＰ通信可能であるとする。
【００１７】
無線端末１０１、１０２は、ＩＰ端末である必要は、必ずしもない。むしろ、超小型化したことが多いと想定し、本実施形態では、無線端末は、非ＩＰ端末であるとして説明する。
無線端末１０１、１０２は、移動時に位置登録が必要となる。本発明では、無線端末１０１を位置登録起動端末、無線端末１０２を（無線端末１０１を位置登録起動端末とする）位置登録非起動端末とする。位置登録起動端末は、位置登録行為を行うが、非起動端末は行わない。
【００１８】
位置登録起動端末と非起動端末の区別は、無線端末ＩＤで行う。無線端末ＩＤのデータ構成を図２に示す。同図に示すように、例えば、位置登録起動端末ＩＤは、１２８ビットからなり、最下位３ビットはすべて０とする。位置登録非起動端末ＩＤは、当該端末に対する位置登録起動端末のＩＤのうち上位１２５ビットは、当該位置登録起動端末のＩＤと同じで、最下位３ビットはいずれかのビットが０ではないものとする。
位置登録起動端末と位置登録非起動端末のＩＤによる区別の方法は、ＧＷノード１０３〜１０６、位置登録データベース１０９には既知とする。
【００１９】
各ＧＷノードは、ページングエリア番号を無線報知し、位置登録起動端末は、自分の保持するページングエリア番号と異なる番号を受信し、在圈エリアの変更を認識する。在圈エリアが変わると、位置登録起動端末１０１は、（１）自分の保持するページングエリア番号を更新し、（２）ＧＷノード・中継ノードを介して、自分の在圈するページングエリア番号（在圈エリア番号）を、位置登録データベース１０９に通知する。
位置登録データベース１０９は、図３に示す｛無線端末ＩＤ、在圏エリア番号｝の組のデータを記憶する。
【００２０】
無線端末からの情報送信時は、その無線端末が位置登録起動端末であるか否かとは本質的に無関係である。各無線端末は、独立の端末として動作する。（位置登録については、位置登録非起動端末の位置登録行為が省略されるが、情報送信は、例えば、位置登録起動端末を経由するというような依存性を持たない。この点が、従来技術との差分の１つである。）情報送信は、通常の無線端末と同じであるので、ここでは記述しない。
【００２１】
位置登録起動端末である無線端末１０１は、端末としてのＰＣ１１１やＰＣ１１２から、メッセージを受信できる。無線端末１０１のＰＣ１１１やＰＣ１１２からの情報受信フローを図５に示す。
同図において、ＰＣ１１１、１１２は、通信メッセージを、発アドレスを自アドレス、着アドレスをインターネットＧＷ１１３のアドレスとしたＴＣＰ／ＩＰパケットに入れて送信する（ステップ２０１）。ここで、上記通信メッセージの最初に発アドレスとして自アドレス、着アドレスとして無線端末１０１のＩＤを入れ、送信すべきメッセージをその後に入れる。
【００２２】
上記パケットを受信したインターネットＧＷ１１３は、メッセージを取り出し、無線端末ＩＤから無線端末１０１宛通信であることを認識する。そして位置登録データベース１０９にアクセスし（ステップ２０２）、無線端末ＩＤから在圏エリア番号を取得する（ステップ２０３、２０４）。
インターネットＧＷ１１３は、自ら保持している在圏エリアと対応するＧＷノードのアドレステーブル（図４）を引いて、無線端末１０１の在圈するＧＷノードのアドレスを取得する。そして、発アドレスを自アドレス、着アドレスを同ＧＷノードのアドレスとしたＴＣＰ／ＩＰパケットに、取り出したメッセージを入れて送信する（ステップ２０６）。
【００２３】
インターネットＧＷ１１３から上記ＴＣＰ／ＩＰパケットを受信したＧＷノードは、該ＴＣＰ／ＩＰパケットからメッセージを取り出し、無線端末ＩＤから無線端末１０１宛通信であることを認識する。そして、無線チャネルにより、ＴＣＰ／ＩＰパケットから取り出した同メッセージを送信する（ステップ２０７）。無線端末１０１は、上記ＧＷノードより上記メッセージを受信する（ステップ２０８）。
【００２４】
同様に、位置登録非起動端末である無線端末１０２は、端末としてのＰＣ１１１やＰＣ１１２から、メッセージを受信できる。ＰＣ１１１、１１２は、通信メッセージを、発アドレスを自アドレス、着アドレスをインターネットＧＷ１１３のアドレスとしたＴＣＰ／ＩＰパケットに入れて送信する（ステップ２０１）。ここで、上記通信メッセージの最初に発アドレスとして自アドレス、着アドレスとして無線端末１０２のＩＤを入れ、送信すべきメッセージをその後に入れる。
【００２５】
上記ＴＣＰ／ＩＰパケットを受信したインターネットＧＷ１１３は、メッセージを取り出し、無線端末ＩＤから無線端末１０２宛通信であることを認識する。そして位置登録データベース１０９にアクセスし、無線端末１０２の無線端末ＩＤから在圈エリアを検索する（ステップ２０２）。このとき、無線端末１０２の無線端末ＩＤは、位置登録非起動端末のＩＤであることから、対応する位置登録起動端末のＩＤ（無線端末の１０１の無線端末ＩＤ）に変換し、在圈エリアを検索する。検索結果として、在圈エリア番号を取得する（ステップ２０３、２０５）。以下の処理は、無線端末１０１に対する通信と本質的に同じであるので省略する。
【００２６】
なお、一群で移動していた位置登録起動端末、位置登録非起動端末の構成が変化し、起動・非起動の設定を変える必要が生じる場合、無線端末ＩＤの変更で対応が可能であるが、在圈エリア変更の検出や通知などの機能を後から追加することは困難と考えられる。
【００２７】
この場合、位置登録非起動端末であっても、（１）自分のページングエリア番号を保持し、（２）自分の保持するページングエリア番号と異なる番号がＧＷノードから報知されているのを受信した場合、在圈エリアの変更を認識し、（３）自分の保持するページングエリア番号を更新し、（４）ＧＷノードに、位置登録すべくＧＷノードに位置登録信号を送信するものとする。そして、ＧＷノードでは、位置登録信号の送信元無線端末ＩＤをチェックして、送信元の無線端末が位置登録非起動端末であることを識別して、位置登録信号を廃棄する。
【００２８】
［第２実施形態］
本実施形態では、図１に示したネットワークシステムにおいて、位置登録データベース１０９をmobile ＩＰ技術のHome Agent（ＨＡ）とする実施形態を、図１を参照して説明する。この場合、位置登録データベースは、複数ある場合が多いが、簡単のため１つの例で説明する。また、本実施形態では、インターネットＧＷ１１３は不要である。中継ノード１０７が直接、インターネット１１０に接続するものとする。
【００２９】
本実施形態では、ＧＷノード１０３〜１０７、中継ノード１０７、１０８は、すべてＩＰアドレスをもち、有線ネットワーク部分はすべてＩＰネットワークであるとする。また、位置登録データベース１０９内には、無線端末ごとにＨＡが用意される。（その場合、位置登録データベース１０９は複数に分散されることが想定され、もっとも極端な場合は、無線端末ごとになる。分散の方法については、以下の２つの方法を想定する。
【００３０】
１）無線端末ＩＤに応じて、これらのシステムを分散する。具体的には、無線端末ＩＤ 10000未満と以上で２つに分け、ＧＷノード等は、その分散方法をあらかじめ知っておき、無線端末に応じて、アクセス先を変更する。
２）あらかじめ既知のアドレスをもつアドレス解決ノードを用意する。このアドレス解決ノードでは、無線端末ＩＤごとに、対応する位置登録データベースのアドレスを保持する。ＧＷノード等は、当該アドレス解決ノードにアクセスして、無線端末ＩＤから所望の位置登録データベースのアドレスを得て、アクセスする。
【００３１】
しかしながら、分散方法は、本発明の本質的部分ではないので、１つの位置登録データベースとして、以降の説明をすすめる。）
また、無線端末１０１、１０２は、消費電力などの点で、ＩＰ通信機能・ＩＰアドレスを持ち得ないとする。（従来、mobile ＩＰ技術やNEMO技術は、端末はＩＰ端末であることを前提としている。）
【００３２】
本実施形態では、無線端末群に対してＨＡ，ＦＡを具備することにより、移動するＩＰ端末との通信技術である、mobile ＩＰ技術を、非ＩＰ端末である無線端末にも使えるようにするものである。
本実施形態では、無線端末１０１を位置登録起動端末、無線端末１０２を（無線端末１０１を位置登録起動端末とする）位置登録非起動端末とする。位置登録起動端末の移動検出をもって、対応する端末群の移動とみなす。位置登録起動端末と非起動端末の区別は、無線端末ＩＤで行う。
【００３３】
例えば、位置登録起動端末ＩＤは、１２８ビットからなり、最下位３ビットはすべて０とする。位置登録非起動端末ＩＤは、当該端末に対する位置登録起動端末のＩＤのうち上位１２５ビットは、当該位置登録起動端末のＩＤと同じで、最下位３ビットはいずれかのビットが０ではないものとする（図２）。位置登録起動端末と非起動端末の無線端末ＩＤによる区別の方法は、ＧＷノード１０３〜１０６、位置登録データベース１０９には既知とする。
【００３４】
各ＧＷノード１０３〜１０６は、ページングエリア番号を無線報知し、位置登録起動無線端末は、自分の保持するページングエリア番号と異なる番号を受信し、在圈エリアの変更を認識する。
在圈エリアが変わると、位置登録起動端末である無線端末１０１は、（１）自分の保持するページングエリア番号を更新し、（２）自分のＨＡに新しい在圈エリアのＧＷノード内におけるForeign Agent （ＦＡ）のアドレスを登録する。なお、ＦＡアドレスは積極的な意味で位置情報ではないが、ネットワーク上の位置がページングエリア単位で特定できるという意味で位置情報ということができる。
【００３５】
無線端末からの情報送信時は、それが位置登録起動無線端末であるか否かとは本質的に無関係である。各無線端末は、独立の端末として動作する。（位置登録については、位置登録非起動端末の位置登録行為が省略されるが、情報送信は、例えば、位置登録起動端末を経由するというような依存性を持たない。この点が、従来技術との差分の１つである。）
【００３６】
無線端末から端末としてのＰＣ１１１、１１２に対する情報送信について説明する。ここで、図１のネットワークシステムの構成において、例えば、中継ノード１０８に、無線端末ＩＤと、送信先（通信相手先）アドレスの組を記憶する登録管理システムが接続されているものとする。ここでは、一例として無線端末１０１の通信相手先はＰＣ１１１であるものとする。いか、無線端末１０１からＰＣ１１１への情報送信の処理フローを、図６を参照して説明する。
【００３７】
無線端末１０１からの情報送信のフローを図６に示す。無線端末１０１は、所定の起動条件を満たすと（ステップ３０１）、あらかじめ定められた通信相手（ＰＣ１１１）に対して、自ＩＤとセンシング情報をメッセージとして無線フレームに入れ、送信する（ステップ３０２）。
【００３８】
ＧＷノード１０３〜１０６は、自エリア内に在圏すると推定される無線端末のＩＤとその相手先アドレス、参照時刻の組のデータ（在圈端末リスト、と呼ぶ）を保持する。ＧＷノード１０３〜１０６は、上記無線フレームを受信し（ステップ３０３）、受信メッセージ中の無線端末ＩＤが在圏端末リストにあるか、チェックする（ステップ３０４）。なければ、登録管理システムにアクセスし（ステップ３０５）、当該無線端末ＩＤに対する相手先アドレスを照会する（３０６）。（照会しても該当端末がない場合、不正端末であるので、受信したメッセージを廃棄する。）
【００３９】
そして、現在時刻を参照時刻とし、無線端末ＩＤと照会して得た相手先アドレスの組を在圏端末リストに加える（ステップ３０７）。（これにより、在圏エリア変更なしの場合、登録管理システムヘの照会なしに、相手先アドレスを把握できる。）
在圏端末リストに、もともとあった場合は、参照時刻を現在時刻に更新して保持する（ステップ３０８）。
【００４０】
こうして得た相手先アドレスを着アドレスにし、発アドレスを、ＦＡアドレスまたはＨＡアドレスとし、メッセージをペイロードに入れたＴＣＰ／ＩＰパケットにより、相手先に送る。このとき、メッセージは保持する（ステップ３０９）。
上記ＴＣＰ／ＩＰパケットを受信したＰＣ１１１は、メッセージを取り出し、ＦＡにＡＣＫを返送する（ステップ３１０）。上記ＡＣＫを受信したＦＡは、ＩＰアドレスから、対応する保持しているメッセージを特定し、それを消去する（ステップ３１１）。
【００４１】
また、在圏端末リストの参照時刻が、現在時刻からあらかじめ定められたタイムアウトとなる時点より、古くなった場合、当該｛無線端末のＩＤとその相手先アドレス、参照時刻の組｝を削除する（ステップ３１２、３１３）。
【００４２】
また、無線端末１０１は、ＰＣ１１１やＰＣ１１２から、メッセージを受信できる。ＰＣ１１１、１１２は、無線端末１０１にメッセージを送信する場合には、通信メッセージを、発アドレスを自アドレス、着アドレスを無線端末１０１に対応するＨＡのアドレスとしてＴＣＰ／ＩＰパケットに入れて送信する。（無線端末ＩＤと対応するＨＡアドレスは、（１）無線端末ＩＤからあらかじめ定められた方法で機械的に決まる、（２）ＰＣ１１１、１１２から参照可能なネットワーク内のどこかの記憶装置に保持する、ことにより得る。）
【００４３】
上記メッセージの最初に発アドレスとして自アドレス、着アドレスとして無線端末１０１の無線端末ＩＤを入れ、送信すべきメッセージをその後に入れる。上記ＴＣＰ／ＩＰパケットを受信したＨＡは、保持しているＦＡのアドレスを参照し、同パケットをＧＷノード内にある無線端末１０１対応のＦＡあて転送する。該ＦＡでは、パケットを受信し、メッセージを取り出し、ＧＷノードから、無線チャネルにより、同メッセージを送信する。
【００４４】
同様に、無線端末１０２は、ＰＣ１１１やＰＣ１１２から、メッセージを受信できる。ＰＣ１１１、１１２は、通信メッセージを、発アドレスを自アドレス、着アドレスを無線端末１０２に対応するＨＡのアドレスとしてＴＣＰ／ＩＰパケットに入れて送信する。（位置登録非起動端末の無線端末ＩＤと対応するＨＡアドレスは、対応する位置登録起動端末の無線端末ＩＤに変化し、該無線端末ＩＤに基づいて（１）無線端末ＩＤからあらかじめ定められた方法で機械的に決まる、（２）ＰＣ１１１、１１２から参照可能なネットワーク内のどこかの記憶装置に保持する、ことにより得る。あるいは、位置登録非起動端末とＨＡの対応表も（２）の記憶装置内に具備する。）
【００４５】
上記通信メッセージの最初に発アドレスとして自アドレス、着アドレスとして無線端末１０１の無線端末ＩＤを入れ、送信すべきメッセージをその後に入れる。該ＴＣＰ／ＩＰパケットを受信したＨＡは、保持しているＦＡのアドレスを参照し、該ＴＣＰ／ＩＰパケットを該当するＧＷノード内にある無線端末１０１対応のＦＡ宛に転送する。該ＦＡでは、上記ＴＣＰ／ＩＰパケットを受信し、メッセージを取り出し、当該ＧＷノードから、無線チャネルにより、同メッセージを送信する。
【図面の簡単な説明】
【００４６】
【図１】本発明の実施形態に係るネットワークシステムの構成を示す図。
【図２】図１における無線端末の無線端末ＩＤのデータ構成を示す説明図。
【図３】図１における位置登録データベースの記憶内容を示す説明図。
【図４】図１におけるインターネットＧＷに記憶されているアドレステーブルの内容を示す説明図。
【図５】図１に示すネットワークシステムにおいて端末から無線端末に情報送信する際の動作を示すフローチャート。
【図６】図１に示すネットワークシステムにおいて無線端末から端末に情報送信する際の動作を示すフローチャート。
【符号の説明】
【００４７】
１０１、１０２…無線端末、１０３〜１０６…ＧＷノード、１０７、１０８…中継ノード、１０９…位置登録データベース、１１０…インターネット、１１１、１１２…ＰＣ、１１３…インターネットＧＷ
【図１】
2006166357.tif 000003
【図２】
2006166357.tif 000004
【図３】
2006166357.tif 000005
【図４】
2006166357.tif 000006
【図５】
2006166357.tif 000007
【図６】
2006166357.tif 000008